(57)【要約】  タッチパネルの表示レイアウトの自由度は損なうことなく、視覚障害者に対してタッチパネル上の目的とする操作ボタンの探索を補助し操作性を向上するエレベーターの行先階登録装置を提供する。このため、エレベーターの行先階登録装置において、操作盤の正面に設けられたタッチパネルと、操作盤の正面から見てタッチパネルと重ならないように且つ別体に配置され、任意の点字が表示可能な点字ディスプレイと、タッチパネルの画面に表示される操作ボタンの画面配置情報を予め記憶する記憶部と、タッチパネルにおける接触操作による接触座標と画面配置情報とに基づいて、接触座標の表示内容についての情報、並びに、接触座標の周辺の表示内容及び接触座標から当該表示内容までの距離についての情報を作成する画面情報作成部と、前記作成された情報を点字ディスプレイに点字表示させる点字ディスプレイ制御装置と、を備える。
2012101772.tif 000002
【特許請求の範囲】
【請求項１】
エレベーター制御装置に接続され、タッチパネル式の操作ボタンを有する操作盤を備えたエレベーターの行先階登録装置において、
前記操作盤の正面に設けられたタッチパネルと、
前記操作盤の正面に前記タッチパネルと別体に設けられ、前記操作盤の正面から見て前記タッチパネルと重ならないように配置され、任意の点字が表示可能な点字ディスプレイと、
前記タッチパネルの画面に表示される前記操作ボタンの配置に関する画面配置情報を予め記憶する記憶部と、
前記タッチパネルに対して接触操作がなされると、前記タッチパネルにおける前記接触操作による接触座標と前記記憶部に記憶された前記画面配置情報とに基づいて、前記接触座標における前記タッチパネルの画面の表示内容についての情報、並びに、前記接触座標から見て上下・右左それぞれの方向における前記タッチパネルの画面の表示内容及び前記タッチパネルの画面上における前記接触座標から当該表示内容までの距離についての情報を作成する画面情報作成部と、
前記画面情報作成部により作成された情報を、前記点字ディスプレイに点字表示させる点字ディスプレイ制御装置と、を備えたことを特徴とするエレベーターの行先階登録装置。
【請求項２】
既に登録済みである呼びの行先階に関する情報を保管する登録済行先階情報保管部を備え、
前記画面情報作成部は、前記接触座標における前記タッチパネルの画面の表示内容が行先階ボタンである場合には、前記登録済行先階情報保管部に保管された情報に基づいて、当該行先階ボタンに対応する行先階への呼び登録状態についての情報を作成することを特徴とする請求項１に記載のエレベーターの行先階登録装置。
【請求項３】
前記登録済行先階情報保管部に保管された情報に基づいて、既に登録済みである呼びの行先階の一覧の情報を作成する登録済行先階一覧作成部を備え、
前記点字ディスプレイ制御装置は、前記登録済行先階一覧作成部により作成された情報を、前記点字ディスプレイに点字表示させることを特徴とする請求項２に記載のエレベーターの行先階登録装置。
【請求項４】
前記タッチパネルの画面には、前記操作ボタンに加え、利用者に対する所定のメッセージを表示するメッセージ表示部が表示され、
前記記憶部は、前記タッチパネルの画面上に表示される前記操作ボタン及び前記メッセージ表示部の配置に関する画面配置情報を予め記憶し、
前記画面情報作成部は、前記接触座標及び／又は前記接触座標から見て上下・右左それぞれの方向における前記タッチパネルの画面の表示内容が前記メッセージ表示部である場合には、前記メッセージ表示部に表示された前記メッセージについての情報を作成することを特徴とする請求項１から請求項３のいずれかに記載のエレベーターの行先階登録装置。
【発明の詳細な説明】
【技術分野】
【０００１】
この発明は、エレベーターの行先階登録装置に関するものである。
【背景技術】
【０００２】
従来におけるエレベーターの行先階登録装置においては、点字ディスプレイを用いて、任意のフロア情報や行先階情報を点字等によって情報提供することを目的とするものとして、タッチパネル式の操作ボタンを有する操作盤と、この操作盤のタッチパネルにより構成されたパネルディスプレイの表示上に設置されたディスプレイカバーと、ディスプレイカバーと一体又は別体に設けられ、点字表記が任意に行えるシート型の点字ディスプレイと、を備え、点字ディスプレイや点字ディスプレイ近傍のディスプレイカバーを押すことで、点字ディスプレイやディスプレイカバーが凹んだ時にタッチパネルが操作されるように構成されたものが知られている（例えば、特許文献１参照）。【０００３】
また、従来においては、点字を理解することが困難である視覚障害者が安心してエレベーターの操作盤（行先階登録装置）のボタン操作を行うことができるようにすることを目的とするものとして、エレベーターの操作盤にある各操作ボタンに対して、各操作ボタンの表示内容を点字で表す標識部をそれぞれ設け、触れた標識部の表示内容をスピーカによって音声報知するものも知られている（例えば、特許文献２参照）。【０００４】
なお、点字表記が任意に行える点字ディスプレイとしては、特許文献１に記載されているシート型の他にも、格子状に穴が配置された表示面を有する本体と、表示面の各穴毎に同心かつ挿通可能に設けられた凸部表現棒と、を備えたものが従来において知られている（例えば、特許文献３参照）。この特許文献３に記載されたものは、コイル等を用いて凸部表現棒を前後に移動させることにより、凸部表現棒の先端を表示面の穴からわずかに突出させて凸部を表現するとともに、凸部表現棒の先端を表示面と面一まで後退させることにより平面を表現するものである。そして、複数の凸部表現棒に対して凸表現及び平面表現を選択実行することによって、任意の点字を表現する。
【先行技術文献】
【特許文献】
【０００５】
【特許文献１】日本特開２００７−３１４３００号公報
【特許文献２】日本特開２００４−２６９１９６号公報
【特許文献３】日本特開平０５−０１９６８０号公報
【発明の概要】
【発明が解決しようとする課題】
【０００６】
しかしながら、特許文献１に示された従来におけるエレベーターの行先階登録装置においては、パネルディスプレイの表示上に点字ディスプレイが配置されており、この点字ディスプレイにはフレキシブル基板が内蔵されている。従って、点字ディスプレイが配置されている場所は、タッチパネルの表示がフレキシブル基板で遮られて見えなくなってしまう。このため、点字ディスプレイをタッチパネル全体に配置することが出来ず、タッチパネル上には、点字ディスプレイが配置されている箇所と配置されていない箇所が生じることとなる。【０００７】
そして、このような構成では、タッチパネルに表示させるコンテンツを変更する場合、点字ディスプレイの配置を考慮して（点字ディスプレイの配置箇所を避けるようにして）コンテンツを変更する必要があって、タッチパネルに表示させるコンテンツ・レイアウトの自由度が低くなってしまうという課題がある。あるいは、変更されたコンテンツに合わせて点字ディスプレイの配置を変更することも考えられるが、この場合には、コンテンツ変更の度に点字ディスプレイの配置を変更することは非常に煩雑で手数がかかるという課題がある。【０００８】
また、特許文献２に示された従来におけるエレベーターの行先階登録装置は、各操作ボタンに隣接して設けられた標識部に触れると、その操作ボタンの情報を音声によって案内するものである。すなわち、現在触れている場所の操作ボタンについての情報のみを音声案内するものであるため、操作ボタンがない領域に触れているときには、その場所の情報を得ることができないという課題がある。また、利用者が目的とする操作ボタンでない場所に触れている場合に、利用者は目的とする操作ボタンがどこにあるのかについての情報を得ることができないという課題もある。【０００９】
さらに、上で挙げたいずれの特許文献に示された従来におけるエレベーターの行先階登録装置においても、視覚障害者は既に登録済みである呼びの行先階を知ることができないため、自身が目的とする行先階への呼びが既に登録済みである場合であっても再度呼び登録操作を行わねばならず煩雑であるという課題がある。【００１０】
この発明は、このような課題を解決するためになされたもので、第１の目的は、タッチパネルと点字ディスプレイとが併設された操作盤において、タッチパネルにおける表示レイアウトの自由度は損なうことなく、タッチパネルに表示されるコンテンツの変更に対して柔軟に対応できるエレベーターの行先階登録装置を得るものである。【００１１】
また、第２の目的は、視覚障害者である利用者が、タッチパネル上の目的とする操作ボタンでない場所に触れている場合に、この利用者に対して現在触れている場所の周辺の情報を提供することで、目的とする操作ボタンの探索を補助することが可能であり、操作性を向上することができるエレベーターの行先階登録装置を得るものである。
【課題を解決するための手段】
【００１２】
この発明に係るエレベーターの行先階登録装置は、エレベーター制御装置に接続され、タッチパネル式の操作ボタンを有する操作盤を備えたエレベーターの行先階登録装置において、前記操作盤の正面に設けられたタッチパネルと、前記操作盤の正面に前記タッチパネルと別体に設けられ、前記操作盤の正面から見て前記タッチパネルと重ならないように配置され、任意の点字が表示可能な点字ディスプレイと、前記タッチパネルの画面に表示される前記操作ボタンの配置に関する画面配置情報を予め記憶する記憶部と、前記タッチパネルに対して接触操作がなされると、前記タッチパネルにおける前記接触操作による接触座標と前記記憶部に記憶された前記画面配置情報とに基づいて、前記接触座標における前記タッチパネルの画面の表示内容についての情報、並びに、前記接触座標から見て上下・右左それぞれの方向における前記タッチパネルの画面の表示内容及び前記タッチパネルの画面上における前記接触座標から当該表示内容までの距離についての情報を作成する画面情報作成部と、前記画面情報作成部により作成された情報を、前記点字ディスプレイに点字表示させる点字ディスプレイ制御装置と、を備えた構成とする。
【発明の効果】
【００１３】
この発明に係るエレベーターの行先階登録装置は、タッチパネルと点字ディスプレイとが併設された操作盤において、タッチパネルにおける表示レイアウトの自由度は損なうことなく、タッチパネルに表示されるコンテンツの変更に対して柔軟に対応できるという効果を奏する。【００１４】
また、視覚障害者である利用者が、タッチパネル上の目的とする操作ボタンでない場所に触れている場合に、この利用者に対して現在触れている場所の周辺の情報を提供することで、目的とする操作ボタンの探索を補助することが可能であり、操作性を向上することができるという効果も併せ奏する。
【図面の簡単な説明】
【００１５】
【図１】この発明の実施の形態１に係る行先階登録装置を備えたエレベーターの構成概略を示す図である。
【図２】この発明の実施の形態１に係るエレベーターの行先階登録装置の操作盤の正面図である。
【図３】この発明の実施の形態１に係るエレベーターの行先階登録装置の操作盤に設けられた点字ディスプレイの正面図である。
【図４】この発明の実施の形態１に係るエレベーターの行先階登録装置の全体構成を示すブロック図である。
【図５】この発明の実施の形態１に係るタッチパネル制御装置の構成を示すブロック図である。
【図６】この発明の実施の形態１に係る点字ディスプレイ制御装置の構成を示すブロック図である。
【図７】この発明の実施の形態１に係るタッチパネル制御装置が備える接触パターン判定手段における処理を示すフロー図である。
【図８】この発明の実施の形態１に係るタッチパネル制御装置が備える動作モード管理手段における処理を示すフロー図である。
【図９】この発明の実施の形態１に係る点字ディスプレイ制御装置が備える動作モード判定手段における処理を示すフロー図である。
【図１０】この発明の実施の形態１に係るタッチパネル制御装置が備える画面情報作成手段における動作の一例を説明するための図である。
【発明を実施するための形態】
【００１６】
この発明を添付の図面に従い説明する。各図を通じて同符号は同一部分又は相当部分を示しており、その重複説明は適宜に簡略化又は省略する。
【００１７】
実施の形態１．
図１から図１０は、この発明の実施の形態１に係るもので、図１はエレベーターの構成概略を示す図、図２は操作盤の正面図、図３は操作盤に設けられた点字ディスプレイの正面図、図４はエレベーターの行先階登録装置の全体構成を示すブロック図、図５はタッチパネル制御装置の構成を示すブロック図、図６は点字ディスプレイ制御装置の構成を示すブロック図、図７はタッチパネル制御装置が備える接触パターン判定手段における処理を示すフロー図、図８はタッチパネル制御装置が備える動作モード管理手段における処理を示すフロー図、図９は点字ディスプレイ制御装置が備える動作モード判定手段における処理を示すフロー図、図１０はタッチパネル制御装置が備える画面情報作成手段における動作の一例を説明するための図である。
【００１８】
図１において、１は、利用者や荷物等を積載して、エレベーターの昇降路（図示せず）内を昇降する乗りかごである。この乗りかご１内には、乗りかご１内の利用者が呼び登録操作や戸開閉操作を行うための操作盤２が設置されている。操作盤２への操作に応じた乗りかご１の走行動作等、エレベーターの運転全般に係る制御はエレベーター制御装置３により司られている。このエレベーター制御装置３は、操作盤２と接続され、昇降路頂部に設けられた機械室４内に設置されている。
【００１９】
操作盤２は、タッチパネル５及び点字ディスプレイ６を備えている。この操作盤２の正面図を図２に示す。このように、操作盤２内の正面にはタッチパネル５が設置されており、操作盤２内の正面におけるこのタッチパネル５の下方側に点字ディスプレイ６が配置されている。この点字ディスプレイ６は、タッチパネル５と別体に設けられており、かつ、操作盤２の正面から見てタッチパネル５と重ならないように配置されている。
【００２０】
タッチパネル５には、操作ボタン表示領域５ａ及びメッセージ表示領域５ｂが形成されている。操作ボタン表示領域５ａは、行先階を指定して呼びを登録するための複数の階床ボタンや、ドアの開閉を指示するための戸開ボタン及び戸閉ボタンが表示される領域である。この操作ボタン表示領域５ａに表示される各種ボタンが、利用者によるタッチパネル５への接触操作の対象となる。また、メッセージ表示領域５ｂには、エレベーターのメンテナンス情報等の利用者へのメッセージが表示される。
【００２１】
点字ディスプレイ６は複数の領域に分割されている。この点字ディスプレイ６の正面図を図３に示す。これら複数の領域は、それぞれ、登録済行先階表示部６ａ、接触領域情報表示部６ｂ、上側領域情報表示部６ｃ、下側領域情報表示部６ｄ、右側領域情報表示部６ｅ及び左側領域情報表示部６ｆを構成している。
【００２２】
この点字ディスプレイ６は、点字７を構成する凸部について、表面から突出させる凸部を選択変化させることにより任意の点字７を表示する機能を持っている。このような機能は、例えば特許文献１や特許文献３に記載されているような従来技術を用いることにより実現可能である。
【００２３】
この任意の点字７を表示する機能を用いて、点字ディスプレイ６の登録済行先階表示部６ａには、操作盤２のタッチパネル５の操作ボタン表示領域５ａに対する操作によって呼び登録済みである行先階の一覧が点字で表示される。接触領域情報表示部６ｂには、現在、利用者が操作盤２のタッチパネル５に接触している領域に表示されている内容についての情報が点字で表示される。上側領域情報表示部６ｃには、現在、利用者がタッチパネル５に接触している箇所から見て上方向にある領域（上側領域）の表示内容についての情報が点字で表示される。下側領域情報表示部６ｄには、現在、利用者がタッチパネル５に接触している箇所から見て下方向にある領域（下側領域）の表示内容についての情報が点字で表示される。右側領域情報表示部６ｅには、現在、利用者がタッチパネル５に接触している箇所から見て右方向にある領域（右側領域）の表示内容についての情報が点字で表示される。左側領域情報表示部６ｆには、現在、利用者がタッチパネル５に接触している箇所から見て左方向にある領域（左側領域）の表示内容についての情報が点字で表示される。
【００２４】
また、この点字ディスプレイ６には、利用者がこの点字ディスプレイ６の点字表示部分に接触しているか否かを検出する機能が備えられている。この機能は、例えば、接触時の振動、人が発する赤外線や、人体の接触による電気抵抗・静電容量の変化等を検出センサを用いることによって実現することができる。
【００２５】
なお、点字ディスプレイ６における各表示部６ａ〜６ｆの配置について、図３では縦一列に並べて配置しているが、これを、例えば、接触領域情報表示部６ｂを中央に配置した上で、上下・右左の各表示部６ｃ〜６ｆを、この接触領域情報表示部６ｂの上下・右左にそれぞれ配置する等、適宜変更してもよい。
【００２６】
操作盤２は、図４に示すように、タッチパネル５の動作を制御するタッチパネル制御装置８、及び、点字ディスプレイ６の動作を制御する点字ディスプレイ制御装置９を備えている。始めに、タッチパネル制御装置８の構成を図５を参照しながら説明する。
【００２７】
まず、タッチパネル制御装置８には、２つの動作モードが存在している。この２つの動作モードとは、通常モード及び点字モードである。通常モードは、健常者すなわち点字ディスプレイ６を使用しない利用者が操作盤２を操作している時に選択される動作モードである。これに対し、点字モードは、視覚障害者すなわち点字ディスプレイ６を使用する利用者が操作盤２を操作している時に選択される動作モードである。動作モード情報８ａには、現時点におけるタッチパネル制御装置８の動作モードが保管されている。
【００２８】
接触検出手段８ｂは、タッチパネル５に接触操作されることによりタッチパネル５から出力される信号に基づいて、利用者によってタッチパネル５に対して接触操作がなされたか否かを検出するものである。そして、タッチパネル５に接触操作がなされたことを検出した場合には、併せて、タッチパネル５における当該接触操作がなされた座標（以下「接触座標」という）を検出する。接触検出手段８ｂにより検出された接触操作の有無及び接触座標は、接触パターン判定手段８ｃへと通知される。
【００２９】
接触パターン判定手段８ｃは、後述する図７のフロー図に従って、接触検出手段８ｂから通知されたタッチパネル５への接触操作の有無及び接触座標に基づいて、タッチパネル５に対する接触パターンを判定する。そして、判定した接触パターンに応じて、点字モードの開始／終了を決定し、動作モード管理手段８ｅへと通知する。また、接触パターン判定手段８ｃは、接触座標を行先階登録手段８ｇ及び画面情報作成手段８ｋへと通知する。
【００３０】
点字モードの開始／終了通知は、後述するように点字ディスプレイ制御装置９からも送信される。タッチパネル制御装置８の動作モード受信手段８ｄは、この点字ディスプレイ制御装置９から送信された点字モード開始／終了通知を受信して、この受信した点字モード開始／終了を動作モード管理手段８ｅに通知する。
【００３１】
動作モード管理手段８ｅは、後述する図８のフロー図に従って、接触パターン判定手段８ｃから通知された点字モード開始／終了と、動作モード受信手段から通知された点字モード開始／終了通知とに基づいて、タッチパネル制御装置８の動作モードを点字モードと通常モードとの間で切り替える。この動作モード管理手段８ｅにより切り替えられた最新の動作モードは、動作モード情報８ａに保管される。
【００３２】
画面配置情報８ｆには、タッチパネル５上に表示される操作ボタン表示領域５ａの各操作ボタンやメッセージ表示領域５ｂの位置、領域の大きさ、表示内容が保管されている。行先階登録手段８ｇは、この画面配置情報８ｆと接触パターン判定手段８ｃを介して得られる接触座標とに基づいて、当該接触座標上に配置されている階床ボタンに対応付けられた行先階を判定する。そして、当該行先階を、行先階登録送信手段８ｈ及び登録済行先階情報８ｉへと通知する。行先階登録送信手段８ｈは、行先階登録手段８ｇから通知された行先階をエレベーター制御装置３へ送信する。エレベーター制御装置３は、この行先階登録送信手段８ｈから送信された行先階を受信すると、当該行先階への呼びを登録する。
【００３３】
登録済行先階情報８ｉは、行先階登録手段８ｇから通知された行先階を登録済行先階として保管する。そして、この登録済行先階情報８ｉは、登録済行先階一覧作成手段８ｊからの要求に応じて、保管されている登録済行先階を登録済行先階一覧作成手段８ｊへと通知する。登録済行先階一覧作成手段８ｊは、登録済行先階情報８ｉから取得した登録済行先階に基づいて登録済行先階一覧を作成して、この作成した登録行先階一覧を点字表示送信手段８ｌへと通知する。
【００３４】
画面情報作成手段８ｋは、動作モード情報８ａの保管内容を参照してタッチパネル制御装置８の動作モードが点字モードである場合に、点字ディスプレイ６における点字表示内容に関する点字情報を作成して、この作成した点字情報を点字表示送信手段８ｌへと通知する。この点字情報は、接触パターン判定手段８ｃから通知された接触座標と、画面配置情報８ｆと、登録済行先階情報８ｉとに基づいて作成される。この作成された点字情報には、接触座標における表示内容についての情報を点字で表したものと、接触座標を中心とした上下・右左それぞれの方向の領域における表示内容及び接触座標から当該表示内容までの距離についての情報を点字で表したものとが含まれている。
【００３５】
点字表示送信手段８ｌは、画面情報作成手段８ｋから通知された点字情報と、登録済行先階一覧作成手段８ｊから通知された登録済行先階一覧とを、点字ディスプレイ制御装置９へ送信する。
【００３６】
なお、このタッチパネル制御装置８に設けられた、動作モード情報８ａ、画面配置情報８ｆ及び登録済行先階情報８ｉは、情報を記憶・保管するという機能において共通している。そこで、これらの動作モード情報８ａ、画面配置情報８ｆ及び登録済行先階情報８ｉについては、タッチパネル制御装置８に設けられた１つの記憶部によって、これらの機能を担うようにすることが可能である。
【００３７】
次に、点字ディスプレイ制御装置９の構成を図６を参照しながら説明する。
点字ディスプレイ６は、前述したように利用者が点字ディスプレイ６に接触しているか否かを検出する機能を備えている。そして、点字ディスプレイ６はこの検出結果を点字ディスプレイ接触有無情報として送信する。点字ディスプレイ接触情報受信手段９ａは、この点字ディスプレイ６から送信される点字ディスプレイ接触有無情報を受信するためのものである。点字ディスプレイ接触情報受信手段９ａは、受信した点字ディスプレイ接触有無情報を動作モード判定手段９ｂへと通知する。
【００３８】
動作モード判定手段９ｂは、後述する図９のフロー図に従って、点字ディスプレイ接触情報受信手段９ａから通知された点字ディスプレイ接触有無情報に基づいて、点字ディスプレイ６に対する接触パターンを判定する。そして、判定した接触パターンに応じて点字モードの開始／終了を決定し、動作モード送信手段９ｃへと通知する。動作モード送信手段９ｃは、動作モード判定手段９ｂから通知された点字モードの開始／終了を、タッチパネル制御装置８に送信する。この動作モード送信手段９ｃから送信された点字モードの開始／終了通知は、タッチパネル制御装置８の動作モード受信手段８ｄにより受信されることは前述した通りである。
【００３９】
前述したタッチパネル制御装置８の点字表示送信手段８ｌから送信された点字情報及び登録済行先階一覧は、点字ディスプレイ制御装置９の点字表示受信手段９ｄによって受信される。この点字表示受信手段９ｄは、受信した点字情報及び登録済行先階一覧を、点字ディスプレイ駆動手段９ｅへと通知する。
【００４０】
点字ディスプレイ駆動手段９ｅは、点字表示受信手段９ｄから通知された点字情報及び登録済行先階一覧を点字表示するのに必要な凸部を駆動して、点字ディスプレイ６の表面から突出させることにより、点字ディスプレイ６の各表示部６ａ〜６ｆにおいて、点字表示受信手段９ｄから通知された点字情報及び登録済行先階一覧を点字表示する。
【００４１】
図７のフロー図は、タッチパネル制御装置８の接触パターン判定手段８ｃにおける処理を示すものである。
接触パターン判定手段８ｃは、接触検出手段８ｂから通知されたタッチパネル５への接触操作の有無及び接触座標を受信すると（ステップＳ１）、ステップＳ２において、受信した情報に基づいて、タッチパネル５への接触操作があったか否かを確認する。そして、タッチパネル５への接触操作がなかった場合には、ステップＳ３へと進む。
【００４２】
ステップＳ３においては、タッチパネル５への接触操作がない状態が所定の一定時間以上継続しているか否かを確認する。タッチパネル５への接触操作がない状態が所定の一定時間以上継続していない場合、すなわち、タッチパネル５への接触操作がない連続時間が一定時間未満である場合には、ステップＳ２へと戻る。一方、ステップＳ３において、タッチパネル５への接触操作がない状態が所定の一定時間以上継続している場合はステップＳ４へと進む。このステップＳ４においては、接触パターン判定手段８ｃは動作モード管理手段８ｅへと点字モード終了を通知する。そして、一連の処理を終了する。
【００４３】
一方、ステップＳ２において、タッチパネル５への接触操作があった場合には、ステップＳ５へと進む。このステップＳ５においては、タッチパネル５への接触操作がある状態が所定の一定時間以上継続しているか否かを確認する。タッチパネル５への接触操作がある状態が所定の一定時間以上継続している場合、当該接触操作の主である利用者は視覚障害者であると判断して、ステップＳ６へと進む。この判断は、一般に健常者がタッチパネル５に接触操作する時間は比較的短いのに対し、視覚障害者はタッチパネル５に触れたまま操作ボタンの位置を探そうとするため、健常者と比べて接触時間が長くなるという事実に基づいている。
【００４４】
ステップＳ６においては、接触パターン判定手段８ｃは動作モード管理手段８ｅへと点字モード開始を通知して、ステップＳ７へと進む。ステップＳ７においては、接触パターン判定手段８ｃは画面情報作成手段８ｋへと接触座標を通知する。この接触座標の通知を受けた画面情報作成手段８ｋは、前述したように現在のタッチパネル制御装置８の動作モードが点字モードである場合に点字ディスプレイ６に表示する点字情報を作成する。なお、この段階においては、行先階登録手段８ｇにはまだ接触座標は通知されず、タッチパネル５に表示された行先階ボタンに接触されていても行先階への呼び登録は行われない。
【００４５】
続くステップＳ８においては、接触検出手段８ｂから通知されたタッチパネル５への接触操作の有無に基づいて、タッチパネル５への接触操作がなくなったか否かについて確認する。そして、タッチパネル５への接触操作がなくなっておらず接触された状態が継続している場合には、ステップＳ７へと戻る。一方、タッチパネル５への接触操作がなくなった場合には、ステップＳ９へと進む。
【００４６】
このステップＳ９においては、タッチパネル５への接触操作がなくなった後、所定の一定時間以内に再び最後に接触操作されていたタッチパネル５上の領域と同一の領域に対して接触されてから離れたか否かが確認される。接触操作がなくなった後、所定の一定時間以内に再び最後に接触操作されていたのと同一の領域に対して接触操作があった場合には、ステップＳ１０へと進む。ステップＳ１０においては、接触パターン判定手段８ｃは行先階登録手段８ｇへと接触座標を通知する。従って、この段階に至ってタッチパネル５に対する接触操作に応じて行先階への呼びが登録されることになる。ステップＳ１０の後はステップＳ２へと戻る。
【００４７】
また、ステップＳ５において、タッチパネル５への接触操作がある状態が所定の一定時間以上継続していない場合、当該接触操作の主である利用者は健常者であると判断して、ステップＳ６からＳ９を飛ばして直接ステップＳ１０へと移行する、そして、ステップＳ１０において先階登録手段８ｇへと接触座標が通知されて行先階への呼びが登録される。
【００４８】
一方、ステップＳ９において、接触操作がなくなった後、所定の一定時間以内に再び最後に接触操作されていたのと同一の領域に対して接触操作があった場合には、ステップＳ１１へと進む。このステップＳ１１においては、先のステップＳ３と同様に、タッチパネル５への接触操作がない状態が所定の一定時間以上継続しているか否かを確認する。タッチパネル５への接触操作がない状態が所定の一定時間以上継続していない場合、すなわち、タッチパネル５への接触操作がない連続時間が一定時間未満である場合には、ステップＳ７へと戻る。一方、ステップＳ１１において、タッチパネル５への接触操作がない状態が所定の一定時間以上継続している場合はステップＳ１２へと進む。このステップＳ１２においては、接触パターン判定手段８ｃは動作モード管理手段８ｅへと点字モード終了を通知する。そして、一連の処理を終了する。
【００４９】
図８のフロー図は、タッチパネル制御装置８の動作モード管理手段８ｅにおける処理を示すものである。
この動作モード管理手段８ｅは、点字モードの開始／終了を決定するために、２つの動作モード（動作モード（１）及び動作モード（２））を、内部的に用いている。動作モード（１）は、接触パターン判定手段８ｃから通知された点字モードの状態に対応するものである。また、動作モード（２）は、動作モード受信手段８ｄから通知された点字モードの状態（すなわち、動作モード判定手段９ｂにおいて判定された点字モードの状態）に対応するものである。
【００５０】
まず、ステップＳ２１において、動作モード管理手段８ｅは、接触パターン判定手段８ｃから点字モード開始／終了が通知されたか否かを確認する。接触パターン判定手段８ｃから点字モード開始／終了が通知された場合には、ステップＳ２２へと進む。ステップＳ２２においては、通知された点字モード開始／終了が点字モード開始であるか否かを確認する。通知された点字モード開始／終了が点字モード開始であった場合には、ステップＳ２３へと進む。
【００５１】
ステップＳ２３においては、接触パターン判定手段８ｃから点字モード開始が通知された状態であり、動作モード管理手段８ｅは動作モード（１）を”開始”に設定する。そして、続くステップＳ２４において、動作モード管理手段８ｅはタッチパネル制御装置８の動作モードを点字モードにして、一連の処理を終了する。
【００５２】
一方、ステップＳ２２において、接触パターン判定手段８ｃから通知された点字モード開始／終了が点字モード開始でなかった場合、ステップＳ２５へと進む。このステップＳ２５においては、接触パターン判定手段８ｃから点字モード終了が通知された状態であり、動作モード管理手段８ｅは動作モード（１）を”終了”に設定する。そして、続くステップＳ２６において、動作モード（２）が”終了”状態であるか否かを確認する。
【００５３】
このステップＳ２６において、動作モード（２）が”終了”状態であった場合には、ステップＳ２７へと進み、動作モード管理手段８ｅはタッチパネル制御装置８の動作モードを通常モードにして、一連の処理を終了する。一方、ステップＳ２６において、動作モード（２）が”終了”状態でなかった場合（動作モード（２）が”開始”状態であった場合）には、ステップＳ２４へと進み、動作モード管理手段８ｅはタッチパネル制御装置８の動作モードを点字モードにして、一連の処理を終了する。
【００５４】
一方、ステップＳ２１において、接触パターン判定手段８ｃから点字モード開始／終了が通知されていない場合には、ステップＳ２８へと進む。ステップＳ２８においては、動作モード管理手段８ｅは、動作モード受信手段８ｄから点字モード開始／終了が通知されたか否かを確認する。動作モード受信手段８ｄからも点字モード開始／終了が通知されていない場合には、処理を終了する。
【００５５】
一方、ステップＳ２８において、動作モード受信手段８ｄから点字モード開始／終了が通知されていた場合には、ステップＳ２９へと進む。ステップＳ２９においては、通知された点字モード開始／終了が点字モード開始であるか否かを確認する。通知された点字モード開始／終了が点字モード開始であった場合には、ステップＳ３０へと進む。
【００５６】
ステップＳ３０においては、動作モード受信手段８ｄから点字モード開始が通知された状態であり、動作モード管理手段８ｅは動作モード（２）を”開始”に設定する。そして、続くステップＳ３１において、動作モード管理手段８ｅはタッチパネル制御装置８の動作モードを点字モードにして、一連の処理を終了する。
【００５７】
一方、ステップＳ２９において、動作モード受信手段８ｄから通知された点字モード開始／終了が点字モード開始でなかった場合、ステップＳ３２へと進む。このステップＳ３２においては、動作モード受信手段８ｄから点字モード終了が通知された状態であり、動作モード管理手段８ｅは動作モード（２）を”終了”に設定する。そして、続くステップＳ３３において、動作モード（１）が”終了”状態であるか否かを確認する。
【００５８】
このステップＳ３３において、動作モード（１）が”終了”状態であった場合には、ステップＳ３４へと進み、動作モード管理手段８ｅはタッチパネル制御装置８の動作モードを通常モードにして、一連の処理を終了する。一方、ステップＳ３３において、動作モード（１）が”終了”状態でなかった場合（動作モード（１）が”開始”状態であった場合）には、ステップＳ３１へと進み、動作モード管理手段８ｅはタッチパネル制御装置８の動作モードを点字モードにして、一連の処理を終了する。
【００５９】
図９のフロー図は、点字ディスプレイ制御装置９の動作モード判定手段９ｂにおける処理を示すものである。
まず、点字ディスプレイ接触情報受信手段９ａから点字ディスプレイ接触有無情報が通知されると（ステップＳ４１）、ステップＳ４２において、動作モード判定手段９ｂは、通知された点字ディスプレイ接触有無情報に基づいて、点字ディスプレイ６への接触があったか否かを確認する。点字ディスプレイ６への接触があった場合には、ステップＳ４３へと進む。
【００６０】
ステップＳ４３においては、点字ディスプレイ６に接触されている状態が所定の一定時間以上継続している否かを確認する。点字ディスプレイ６に接触されている状態が所定の一定時間以上継続している場合には、点字ディスプレイ６に視覚障害者が接触していると判断して、ステップＳ４４へと進む。このステップＳ４４においては、動作モード判定手段９ｂは、動作モード送信手段９ｃへと点字モード開始を通知する。そして、ステップＳ４２へと戻る。
【００６１】
一方、ステップＳ４２において、点字ディスプレイ６への接触がなかった場合には、ステップＳ４５へと進む。このステップＳ４５においては、点字ディスプレイ６への接触がない状態が所定の一定時間以上継続しているか否かを確認する。点字ディスプレイ６への接触がない状態が所定の一定時間以上継続していない場合、すなわち、点字ディスプレイ６への接触がない連続時間が一定時間未満である場合には、ステップＳ４２へと戻る。
【００６２】
一方、ステップＳ４５において、点字ディスプレイ６への接触がない状態が所定の一定時間以上継続している場合にはステップＳ４６へと進む。このステップＳ４６においては、動作モード判定手段９ｂは動作モード送信手段９ｃへと点字モード終了を通知する。そして、一連の処理を終了する。
【００６３】
なお、ステップＳ４３において、点字ディスプレイ６に接触されている状態が所定の一定時間以上継続していない場合、すなわち、点字ディスプレイ６への接触がある連続時間が一定時間未満である場合にも、ステップＳ４６へと進んで、動作モード判定手段９ｂは動作モード送信手段９ｃへと点字モード終了を通知する。
【００６４】
こうして動作モード判定手段９ｂから動作モード送信手段９ｃへと通知された点字モード開始／終了は、前述したように、タッチパネル制御装置８の動作モード受信手段８ｄにより受信されて動作モード管理手段８ｅに通知される。そして、動作モード管理手段８ｅにおける動作モードの切り替え判断に用いられる。
【００６５】
このように、接触パターン判定手段８ｃはタッチパネル５への接触継続時間に基づいて点字モード開始を通知するか否かを判断し、動作モード判定手段９ｂは点字ディスプレイ６の接触継続時間に基づいて点字モード開始を通知するか否かを判断する。そして、動作モード管理手段８ｅは、これら接触パターン判定手段８ｃ及び動作モード判定手段９ｂの少なくとも一方から点字モード開始が通知された状態であれば、動作モードを点字モードとする。
【００６６】
そして、点字モード中においては、タッチパネル５に対する接触場所に応じて点字ディスプレイ６に各種の操作補助情報を点字表示するとともに、タッチパネル５から一度離れてから再度同一領域に接触があった場合に、呼び登録を行うようにすることにより、視覚障害者によって操作された場合に、適切に動作モードを点字モードへと変更して、誤操作・誤登録を防止することができる。
【００６７】
次に、図１０を参照しながら、以上のように構成されたエレベーターの行先階登録装置の動作の具体例を説明する。
まず、これまでにおけるタッチパネル５の操作ボタン表示領域５ａへの操作によって、既に呼び登録済みである行先階は、タッチパネル制御装置８の登録済行先階情報８ｉに保管されている。そして、登録済行先階一覧作成手段８ｊは、登録済行先階情報８ｉから取得した登録済行先階に基づいて登録済行先階一覧を作成し、この作成された登録行先階一覧は点字表示送信手段８ｌ及び点字表示受信手段９ｄを経て点字ディスプレイ制御装置９の点字ディスプレイ駆動手段９ｅへと通知される。
【００６８】
点字ディスプレイ駆動手段９ｅは、通知された登録済行先階一覧を点字表示するのに必要な凸部を表面から突出させて、点字ディスプレイ６の登録済行先階表示部６ａに、この通知された登録済行先階一覧を点字表示する。例えば、呼びの行先階として既に１Ｆ、２Ｆ及び３Ｆが登録されている場合、点字ディスプレイ６の登録済行先階表示部６ａに、例えば「登録済み、１、２、３。」のように、登録済みの階床を羅列して点字表示する。
【００６９】
ここで、登録済行先階表示部６ａに表示されている内容種別が登録済行先階であることが視覚障害者である利用者に分かる様に、登録済行先階を表す数字とともに、例えば”登録済み”といった当該表示部の表示内容種別を表す語句を最初に点字表示している。この表示内容種別を表す語句は、いま説明したように当該表示部に点字表示してもよいし、当該表示部における表示内容種別が変化しないのであれば、当該表示部とは別に当該表示部の近傍に表示内容が固定された点字ブロックを設けて、この点字ブロックにおいて表示内容種別を点字表示するようにしてもよい。この場合、例えば「下記にはすでに登録された階が表示されます。」といったような語句が固定的に点字表示された点字ブロックを設置する。
【００７０】
これにより、視覚障害者が行先階を登録しようとしたとき、目的とする行先階への呼びが既に登録されているかを事前に知ることが可能である。そして、このため、目的とする行先階への呼びが既に登録されていた場合には、利用者である視覚障害者はタッチパネル５部分を探る必要が無くなり、不必要な作業を省略することができる。
【００７１】
次に、点字モード中において利用者である視覚障害者が、タッチパネル５に対して接触操作を行った時における点字ディスプレイ６の動作について説明する。例えば、タッチパネル５に対して接触操作された接触点が、２Ｆボタン１０ｂ部分である第１の接触点１１ａであった場合、画面情報作成手段８ｋは、接触パターン判定手段８ｃからの接触座標と、画面配置情報８ｆと、登録済行先階情報８ｉとから以下の（１）から（５）の情報を作成する。
【００７２】
（１）利用者が現在接触している領域の表示内容についての点字情報
第１の接触点１１ａが含まれる領域である２Ｆボタン１０ｂのボタン名称、及び、この２Ｆボタン１０ｂの登録状態についての点字情報を作成する。作成される点字情報の具体例としては、「２Ｆボタンです。登録済みです。」といったものである。
【００７３】
（２）利用者が現在接触している箇所から見て上方向にある領域の表示内容についての点字情報
第１の接触点１１ａから見て上方向の領域にある４Ｆボタン１０ｄのボタン名称、及び、第１の接触点１１ａからこの４Ｆボタン１０ｄまでの距離についての点字情報を作成する。作成される点字情報の具体例としては、「上方向４ｃｍ  ４Ｆボタンです。」といったものである。なお、この際、第１の接触点１１ａから見て上方向に複数の操作ボタンやメッセージ領域がある場合には、この上方向にあるボタン等を複数表示するようにしてもよい。例えば、図１０の場合であれば「上方向４ｃｍ  ４Ｆボタン、８ｃｍ  メッセージ領域。」といった点字情報を表示する。
【００７４】
（３）利用者が現在接触している箇所から見て下方向にある領域の表示内容についての点字情報
第１の接触点１１ａから見て下方向の領域にある戸閉ボタン１０ｆのボタン名称、及び、第１の接触点１１ａからこの戸閉ボタン１０ｆまでの距離についての点字情報を作成する。作成される点字情報の具体例としては、「下方向３ｃｍ  閉ボタンです。」といったものである。なお、この際、（２）と同様、第１の接触点１１ａから見て下方向に複数の操作ボタンやメッセージ領域がある場合には、この下方向にあるボタン等を複数表示するようにしてもよい。
【００７５】
（４）利用者が現在接触している箇所から見て右方向にある領域の表示内容についての点字情報
第１の接触点１１ａから見て右方向の領域の表示内容、及び、第１の接触点１１ａからその表示内容までの距離についての点字情報を作成する。図１０においては第１の接触点１１ａから見て右方向の領域には何も表示されていないため、例えば「右方向は何もありません。」といった内容の点字情報を作成する。なお、ここで、（２）や（３）と同様、第１の接触点１１ａの右側領域にある複数の操作ボタン等について表示するようにしてもよい。
【００７６】
（５）利用者が現在接触している箇所から見て左方向にある領域の表示内容についての点字情報
第１の接触点１１ａから見て左方向の領域にある１Ｆボタン１０ａのボタン名称、及び、第１の接触点１１ａからこの１Ｆボタン１０ａまでの距離についての点字情報を作成する。作成される点字情報の具体例としては、「左方向５ｃｍ  １Ｆボタンです。」といったものである。なお、ここで、（２）から（４）と同様、第１の接触点１１ａの左側領域にある複数の操作ボタン等について表示するようにしてもよい。
【００７７】
なお、図１０の例において、タッチパネル５に対して接触操作された接触点が、メッセージ表示領域５ｂである第２の接触点１１ｂであった場合、上記（１）の利用者が現在接触している領域の表示内容についての点字情報としては、第２の接触点１１ｂの接触点が含まれるメッセージ表示領域５ｂの表示内容についての点字情報が作成される。作成される点字情報の具体例としては、「メッセージ  本日メンテナンスがあります。…」といったものである。
【００７８】
以上のようにして画面情報作成手段８ｋにより作成された上記（１）から（５）の点字情報は、点字表示送信手段８ｌ及び点字表示受信手段９ｄを経て点字ディスプレイ制御装置９の点字ディスプレイ駆動手段９ｅへと通知される。点字ディスプレイ駆動手段９ｅは、通知された点字情報を点字表示するのに必要な凸部を表面から突出させて、点字ディスプレイ６の各表示部６ｂ〜６ｆに、この通知された上記（１）から（５）の点字情報を点字表示する。
【００７９】
具体的には、上記「（１）利用者が現在接触している領域の表示内容についての点字情報」は、点字ディスプレイ６の接触領域情報表示部６ｂに点字表示される。上記「（２）利用者が現在接触している箇所から見て上方向にある領域の表示内容についての点字情報」は、点字ディスプレイ６の上側領域情報表示部６ｃに点字表示される。上記「（３）利用者が現在接触している箇所から見て下方向にある領域の表示内容についての点字情報」は、点字ディスプレイ６の下側領域情報表示部６ｄに点字表示される。上記「（４）利用者が現在接触している箇所から見て右方向にある領域の表示内容についての点字情報」は、点字ディスプレイ６の右側領域情報表示部６ｅに点字表示される。そして、上記「（５）利用者が現在接触している箇所から見て左方向にある領域の表示内容についての点字情報」は、点字ディスプレイ６の左側領域情報表示部６ｆに点字表示される。
【００８０】
ここで、登録済行先階表示部６ａのときと同様に、これらの各表示部６ｂ〜６ｆにおいても、それぞれに表示されている内容種別が何であるのか視覚障害者である利用者に分かる様に、各表示部の表示内容種別を表す語句を最初にそれぞれ点字表示するようにしてもよい。この表示内容種別を表す語句として、具体的には、例えば、接触領域情報表示部６ｂの場合には”現在位置情報”、上側領域情報表示部６ｃの場合には”上方向”、下側領域情報表示部６ｄの場合には”下方向”、右側領域情報表示部６ｅの場合には”右方向”、そして、左側領域情報表示部６ｆの場合には”左方向”といったものを用いる。さらに、これらの表示内容種別を表す語句が固定的に点字表示された点字ブロックを設置するようにしてもよい。
【００８１】
なお、点字ディスプレイ６の各表示部６ａ〜６ｆにおいて、表示内容の点字数が多く、一度では１つの表示部内に表示しきれない場合には、当該表示部において表示すべき点字情報を複数に分割して、これら分割された点字情報を一定時間毎に切り換えて表示するようにしてもよい。例えば、登録済行先階表示部６ａにおいて、登録済みの行先階数が多く表示すべき内容が「登録済み、１、２、３、４、５、６、７、８、９、１０、１１、１２」であるのに対し、登録済行先階表示部６ａには「登録済み、１、２、３、４、５、６、７、８」までしか一度に表示できない場合について考える。この場合には、登録済行先階表示部６ａに点字表示する内容として、「登録済み、１、２、３、４、５、６、７、８」と「登録済み、９、１０、１１、１２」とを、一定時間毎に交互に切り換えて表示するようにする。
【００８２】
このように、点字ディスプレイ６は、操作盤２内のタッチパネル５とは重ならない位置に別体に設けられている。そして、タッチパネル５に対して接触操作がなされた場合には、接触された位置に応じて接触操作を補助するための情報が点字ディスプレイ６に点字表示される。この際、接触された位置に応じて点字ディスプレイ６に表示される点字情報は、主に画面配置情報８ｆに基づいて作成される。従って、タッチパネル５に表示される操作ボタン等の配置を変更した場合、画面配置情報８ｆに保管されている情報を合わせて更新するだけで、更新後の画面配置に基づいた点字情報を点字ディスプレイ６に表示させることができる。このため、タッチパネル５に表示される要素の配置変更に対して、点字ディスプレイ６の配置は変更する必要がなく、タッチパネル５における表示レイアウトの自由度を損なうことなく、柔軟な対応が可能となる。
【００８３】
以上のように構成されたエレベーターの行先階登録装置は、タッチパネル及び点字ディスプレイの少なくとも一方に一定時間以上接触があった場合には、動作モードを通常モードから点字モードへと切り替える。そして、点字モードにおいては、タッチパネルに接触されている位置に応じて、接触箇所についての情報のみならず、接触箇所を中心とした上下・右左の各方向におけるタッチパネルの表示内容を、点字ディスプレイに点字表示するものである。
【００８４】
このため、視覚障害者である利用者が、タッチパネル上の目的とする操作ボタンでない場所に触れている場合（操作ボタンが表示されていない領域を含む）に、この利用者に対して現在触れている場所の周辺の情報を提供することで、目的とする操作ボタンの探索を補助することが可能であり、操作性を向上することができる。
【産業上の利用可能性】
【００８５】
この発明は、エレベーター制御装置に接続され、タッチパネル式の操作ボタンを有する操作盤を備えたエレベーターの行先階登録装置に利用できる。
【符号の説明】
【００８６】
１    乗りかご
２    操作盤
３    エレベーター制御装置
４    機械室
５    タッチパネル
５ａ  操作ボタン表示領域
５ｂ  メッセージ表示領域
６    点字ディスプレイ
６ａ  登録済行先階表示部
６ｂ  接触領域情報表示部
６ｃ  上側領域情報表示部
６ｄ  下側領域情報表示部
６ｅ  右側領域情報表示部
６ｆ  左側領域情報表示部
７    点字
８    タッチパネル制御装置
８ａ  動作モード情報
８ｂ  接触検出手段
８ｃ  接触パターン判定手段
８ｄ  動作モード受信手段
８ｅ  動作モード管理手段
８ｆ  画面配置情報
８ｇ  行先階登録手段
８ｈ  行先階登録送信手段
８ｉ  登録済行先階情報
８ｊ  登録済行先階一覧作成手段
８ｋ  画面情報作成手段
８ｌ  点字表示送信手段
９    点字ディスプレイ制御装置
９ａ  点字ディスプレイ接触情報受信手段
９ｂ  動作モード判定手段
９ｃ  動作モード送信手段
９ｄ  点字表示受信手段
９ｅ  点字ディスプレイ駆動手段
１０ａ  １Ｆボタン
１０ｂ  ２Ｆボタン
１０ｃ  ３Ｆボタン
１０ｄ  ４Ｆボタン
１０ｅ  戸開ボタン
１０ｆ  戸閉ボタン
１１ａ  第１の接触点
１１ｂ  第２の接触点
【図１】
2012101772.tif 000003
【図２】
2012101772.tif 000004
【図３】
2012101772.tif 000005
【図４】
2012101772.tif 000006
【図５】
2012101772.tif 000007
【図６】
2012101772.tif 000008
【図７】
2012101772.tif 000009
【図８】
2012101772.tif 000010
【図９】
2012101772.tif 000011
【図１０】
2012101772.tif 000012
【国際調査報告】
2012101772.tif 000013
2012101772.tif 000014
2012101772.tif 000015